(57)【特許請求の範囲】
【請求項１】
通信網に配置された交換局内の交換機で生成される呼に関連する情報である呼情報を分類して、当該分類された情報を利用するオペレーションシステムに配信するために、課金情報管理システムと、交換機と、交換機アダプタ部と、振り分け機能部と、オペレーションシステムと、情報伝達部とを備える交換機課金情報管理システムにおいて、
前記課金情報管理システムは、
前記振り分け機能部から前記情報伝達部を介して改定が必要となった前記交換機を制御する課金処理プログラム及び課金情報データが記述されている改定対象ファイル情報を受信すると、当該改定対象ファイル情報を改定し、改定後の課金処理プログラム及び課金情報データを課金改定ファイル情報として前記情報伝達部を介し前記振り分け機能部に対して送信する機能を有し、
前記交換機は、
前記呼情報を収集し編集して前記交換機アダプタ部に送信する機能と、
前記改定対象ファイル情報を収集して前記交換機アダプタ部に送信する機能と、
前記交換機アダプタ部から前記課金改定ファイル情報を受信すると、当該課金改定ファイル情報内の課金データと現在使用している課金データとを交換して課金処理を行う機能とを有し、
前記交換機アダプタ部は、
前記交換機から受信した前記呼情報及び前記改定対象ファイル情報を収集し前記振り分け機能部に直接または前記情報伝達部を介して送信する機能と、
前記振り分け機能部から直接または前記情報伝達部を介して前記課金改定ファイル情報を受信すると、前記交換機に当該課金改定ファイル情報を送信する機能とを有し、
前記振り分け機能部は、
前記交換機アダプタ部から前記呼情報または前記改定対象ファイル情報を受信して振り分けて蓄積し、前記オペレーションシステムまたは前記課金情報管理システムからの要求に応じて、当該要求のあったオペレーションシステムまたは前記課金情報管理システムに対して、前記情報伝達部を介して前記呼情報または前記改定対象ファイル情報を送信する機能と、
前記情報伝達部を介して前記課金情報管理システムから前記課金改定ファイル情報を受信すると、管轄する前記交換機アダプタ部に直接または前記情報伝達部を介して送信する機能とを有し、
前記遠隔制御装置は、
前記課金情報管理システムから前記通信網内の各交換局内の前記各交換機を制御する情報を受信すると、当該情報を解析し、解析後の命令を送信対象の前記交換機に対して、送信する機能と、
前記交換機から当該命令を実行した後の応答メッセージを受信すると、当該応答メッセージを解析し、前記課金情報管理システムに送信する機能とを有する、
ことを特徴とする交換機課金情報管理システム。
【請求項２】
前記遠隔制御装置は、
前記交換機の外部に設置された保守装置に対して前記命令を送信し、当該保守装置から前記応答メッセージを受信する、
ことを特徴とする請求項１に記載の交換機課金情報管理システム。
【請求項３】
前記交換機アダプタ部は、
部内各部の動作を制御するシステム制御部と、
当該システム制御部で使用する情報を記録したシステム情報記憶部と、
前記振り分け機能部から直接または前記情報伝達部を介して送信されてくる前記課金改定ファイル情報、前記交換機から送信される前記呼情報及び前記改定対象ファイル情報を受信する受信部と、
当該受信部により受信された当該課金改定ファイル情報、呼情報及び改定対象ファイル情報を一時的に蓄積する蓄積部と、
管轄する前記各交換局内の前記交換機に対して当該蓄積部に蓄積された前記課金改定ファイル情報を前記情報伝達部を介して送信する機能と、
管轄している前記振り分け機能部に対して前記呼情報または前記改定対象ファイル情報を直接または前記情報伝達部を介して送信する機能とを有する配信部と、
前記蓄積部に蓄積された前記課金改定ファイル情報内のファイル管理情報を取り出すファイル管理情報取出部と、
当該ファイル管理情報取出部で取り出された情報により前記送信部における前記課金改定ファイル情報の送信を制御する配信制御部と、を具備する、
ことを特徴とする請求項１又は２に記載の交換機課金情報管理システム。
【請求項４】
前記ファイル管理情報は、
前記各交換局内に設けられた前記交換機の配信リストである、
ことを特徴とする請求項３に記載の交換機課金情報管理システム。
【請求項５】
前記交換機アダプタ部は、
管轄する前記各交換機に対して前記呼情報及び前記改定対象ファイル情報の配信を要求する信号を送信する配信要求送信部と、
管轄している前記振り分け機能部から前記呼情報及び前記改定対象ファイル情報の配信を要求する信号を受信する配信要求受信部と、
当該転送要求受信部が配信を要求する信号を受信すると、前記配信部に対して配信を開始するよう指示する配信指示部と、を具備する、
ことを特徴とする請求項３又は４に記載の交換機課金情報管理システム。
【請求項６】
前記振り分け機能部は、
部内各部の動作を制御するシステム制御部と、
当該システム制御部で使用する情報を記録したシステム情報記憶部と、
前記課金情報管理システムから前記情報伝達部を介して送出される課金改定ファイル情報を受信するファイル受信部と、
前記交換機アダプタ部から送信されてくる前記呼情報、前記改定対象ファイル情報、定期通知イベント及び一旦送信された前記課金改定ファイル情報の前記交換機アダプタ部で受信した内容を返信してくる照合用情報とを、振り分ける収集振り分け部と、
当該収集振り分け部において振り分けられた前記呼情報、前記改定対象ファイル情報、前記定期通知イベント、前記照合用情報及び前記ファイル受信部で受信された前記課金改定ファイル情報と、をそれぞれ別個のファイルに蓄積する蓄積部と、
前記照合用情報を比較し照合するファイル照合部と、
当該蓄積部に蓄積された前記課金改定ファイル情報を、前記交換機を管轄している前記交換機アダプタ部に向けて直接又は前記情報伝達部を介して配信するファイル情報配信部と、
前記蓄積部に蓄積された前記呼情報を、各種オペレーションを実行する一つ又は複数の前記オペレーションシステムに向けて配信する配信部と、
前記課金情報管理システムの要求に応じて、前記照合用情報及び前記改定対象ファイル情報を送信するファイル送信・参照部と、を具備する、
ことを特徴とする請求項１、２、３、４又は５に記載の交換機課金情報管理システム。
【請求項７】
前記振り分け機能部は、
管轄する前記各交換機アダプタ部に対して前記呼情報及び前記改定対象ファイル情報の配信を要求する信号を送信する配信要求送信部と、
前記各オペレーションシステムからの前記呼情報の配信を要求する信号と前記課金情報管理システムからの前記改定対象ファイル情報の配信を要求する信号を受信する配信要求受信部と、
当該転送要求受信部が配信を要求する信号を受信すると、前記配信部に対して配信を開始するよう指示する配信指示部と、を具備する、
ことを特徴とする請求項６に記載の交換機課金情報管理システム。
【請求項８】
前記収集振り分け部は、
前記各交換機アダプタ部から必要な情報を収集する収集部と、
当該収集部により収集された前記呼情報と前記改定対象ファイル情報と前記照合用情報の比較及び分類に必要な項目テーブルを記憶した情報分類参照用テーブル記憶部と、
当該情報分類参照用テーブル記憶部に記憶されたテーブルにより前記各呼情報と前記改定対象ファイル情報と前記照合用情報を分類する分類部と、
当該分類部により分類された前記呼情報と前記改定対象ファイル情報と前記照合用情報を前記蓄積部の各対応部分に分配する分配部と、を具備する、
ことを特徴とする請求項６又は７に記載の交換機課金情報管理システム。
【請求項９】
前記収集振り分け部は、
前記各交換機アダプタ部から必要な情報を収集する収集部と、
当該収集部により収集された前記呼情報と前記改定対象ファイル情報と前記照合用情報の分類に必要なテーブルを記憶した情報分類参照用テーブル記憶部と、当該情報分類参照用テーブル記憶部に記憶されたテーブルにより前記各呼情報と前記改定対象ファイル情報と前記照合用情報を分類して呼情報を蓄積部の各対応部分に分配する比較・分配部と、を具備する、
ことを特徴とする請求項６、７又は８に記載の交換機課金情報管理システム。
【請求項１０】
前記ファイル情報配信部は、
前記蓄積部内に蓄積されている前記各課金改定ファイル情報を読み出す読出し収容部と、
当該読出し収容部で読み出した前記課金改定ファイル情報を管轄する前記各交換機アダプタ部に配信するアダプタ配信部と、を具備する、
ことを特徴とする請求項６、７、８又は９に記載の交換機課金情報管理システム。
【請求項１１】
前記遠隔制御装置は、
装置内各部の動作を制御するシステム制御部と、
当該システム制御部で使用する情報を記録したシステム情報記憶部と、
前記課金情報管理システムからの命令を受信する受信部と、
当該命令を実行した交換機から実行結果の情報として応答メッセージを受信する応答メッセージ受信部と、
前記受信部に受信された命令をどの交換機に対する命令かを解析し、かつ前記応答受信部に受信された応答メッセージを受けてどの課金情報管理システムに対する応答メッセージかを解析する解析部と、
当該解析部の解析結果を受けて、前記交換機を保守する前記保守装置若しくは前記交換機に命令を配信する命令配信部と、
前記解析部の解析結果を受けて、応答メッセージを前記課金情報管理システムへ送信する応答メッセージ配信部と、を具備する、
ことを特徴とする請求項１、２、３、４、５、６、７、８、９又は１０に記載の交換機情報転送管理システム。
【請求項１２】
前記課金情報管理システムは、
プログラムを内蔵して各種ファイル情報の処理を行うシステム処理部と、振り分け機能部との情報の授受を行う通信制御部とを備え、
当該通信制御部は、
通信制御部の動作を制御するシステム制御部と、
当該システム制御部の制御に必要な各種情報を記憶するシステム情報記憶部と、
前記各振り分け機能部から前記改定対象ファイル情報を受信するファイル情報受信部と、
前記各振り分け機能部に対して前記課金改定ファイル情報の配信を開始することを通知する送信開始通知送信部と、
前記システム処理部から送付されてくる前記課金改定ファイル情報を確認するファイル情報確認部と、
当該ファイル情報確認部で確認された宛先交換機を管轄する交換機アダプタ部をさらに管轄する前記振り分け機能部に対して、前記課金改定ファイル情報を送信するファイル情報送信部と、
前記遠隔制御装置に対して前記各交換機への制御命令を送信する制御命令送信部と、
前記遠隔制御装置から応答メッセージを受信する応答メッセージ受信部と、を具備する、
ことを特徴とする請求項１、２、３、４、５、６、７、８、９、１０又は１１に記載の交換機情報転送管理システム。
【請求項１３】
加入者の通信網の利用に従って交換機で生成される呼情報を分類して所定の呼情報を利用するオペレーションシステムに配信を行い、かつ課金情報管理システムを備えて各交換局内の交換機に対して課金改定ファイル情報を配信する、情報伝達部、交換機アダプタ部，振り分け機能部及び遠隔制御装置を備える交換機課金情報管理システムにおいて、
まず、前記呼情報を通信網の前記各交換機において一旦蓄積してから管轄している前記交換機アダプタ部に転送し、
次に、複数の前記各交換機を管轄する前記交換機アダプタ部において前記呼情報をさらに蓄積してから前記振り分け機能部に転送し、
そして、前記複数の交換機アダプタ部を管轄する前記振り分け機能部において、前記呼情報の必要とする部分に応じて比較・分類して振り分けて蓄積し、
さらに、当該振り分け機能部において比較・分類の後に蓄積された前記呼情報を利用する各種オペレーションシステムに配信することにより、
前記呼情報を前記各種オペレーションシステムの各種プログラムで利用し、
かつ、
まず、前記課金情報管理システムから前記遠隔制御装置を介して前記交換機に対し、改定する対象の情報を改定対象ファイル情報として送信するよう命令し、次に、当該交換機から当該改定対象ファイル情報を当該交換機を管轄している前記交換機アダプタ部に転送して、同時に、前記遠隔制御装置に対して当該改定対象ファイル情報を送信した旨応答メッセージを送出し、
次に、複数の前記交換機アダプタ部を管轄する前記振り分け機能部において、前記改定対象ファイル情報を蓄積し、
次に、当該振り分け機能部において蓄積された前記改定対象ファイル情報を必要とする前記課金情報管理システムに送信し、
次に、当該課金情報管理システムで前記改定対象ファイル情報を参照しながら課金改定ファイル情報を生成し、
次に、当該課金改定ファイル情報を、当該課金改定ファイル情報の宛先となっている前記交換機を管轄している前記交換機アダプタ部をさらに管轄している前記振り分け機能部に配信して、同時に前記遠隔制御装置を介して前記交換機に当該課金改定ファイル情報を受領したら改定作業を行うよう命令し、
次に、前記課金改定ファイル情報を前記振り分け機能部において一旦蓄積してから前記交換機アダプタ部に配信し、
そして、前記交換機アダプタ部で一旦蓄積してから前記課金改定ファイル情報を前記交換機に送信し、
さらに、受信した前記各交換機で当該課金改定ファイル情報を利用して、前記交換機内部の課金改定作業を行う、
ことを特徴とする課金改定方法。
【請求項１４】
前記方法は、
前記交換機で受信した前記課金改定ファイル情報を、当該交換機内部で直接使用する形態の課金データに変換・蓄積する、
ことを特徴とする請求項１３に記載の課金改定方法。
【請求項１５】
前記方法は、
前記交換局内の前記交換機で受信した前記課金改定ファイル情報を、一旦、前記交換機アダプタ部に返信し、
さらに、当該交換機アダプタ部で受信した前記返信された課金改定ファイル情報を前記振り分け機能部に返信して、
当該振り分け機能部において、前記送信した課金改定ファイル情報と前記返信されてきた課金改定ファイル情報の照合を行い、
相違点があれば、当該振り分け機能部内の蓄積部に蓄積されている課金改定ファイル情報を再度前記交換機アダプタ部へ送信し、
相違点がなければ、前記交換機アダプタ部へ良好の指示を出し、
前記振り分け機能部から送信されてきた再度の前記課金改定ファイル情報若しくは良好の指示を前記交換機アダプタ部から前記交換局内の交換機へ送信した後に、課金改定作業を実行する、
ことを特徴とする請求項１３又は１４に記載の課金改定方法。
【請求項１６】
前記交換機と交換機アダプタ部、交換機アダプタ部と振り分け機能部、振り分け機能部と各種オペレーションシステムとの間の呼情報の通信接続制御方式は、
ポーリング／セレクティング方式を採用する、
ことを特徴とする請求項１３、１４又は１５に記載の課金改定方法。
【請求項１７】
前記交換機と交換機アダプタ部、交換機アダプタ部と振り分け機能部、振り分け機能部と各種オペレーションシステムとの間の呼情報の通信接続制御方式は、
コンテンション方式を採用する、
ことを特徴とする請求項１３、１４又は１５に記載の課金改定方法。
【請求項１８】
前記交換機と交換機アダプタ部、交換機アダプタ部と振り分け機能部との間の呼情報の通信接続制御方式は、
ポーリング／セレクティング方式を採用し、
前記振り分け機能部と各種オペレーションシステムとの間の呼情報の通信接続制御方式は、
コンテンション方式を採用する、
ことを特徴とする請求項１３、１４又は１５に記載の課金改定方法。
【請求項１９】
前記交換機と交換機アダプタ部との間の呼情報の通信接続制御方式は、
ポーリング／セレクティング方式を採用し、
前記交換機アダプタ部と振り分け機能部、振り分け機能部と各種オペレーションシステムとの間の呼情報の通信接続制御方式は、
コンテンション方式を採用する、
ことを特徴とする請求項１３、１４又は１５に記載の課金改定方法。
【請求項２０】
前記交換機と交換機アダプタ部との間の呼情報の通信接続制御方式は、
ポーリング／セレクティング方式を採用し、
前記交換機アダプタ部と振り分け機能部との間の呼情報の通信接続制御方式は、
コンテンション方式を採用し、
前記振り分け機能部と各種オペレーションシステムとの間の呼情報の通信接続制御方式は、
ポーリング／セレクティング方式を採用する、
ことを特徴とする請求項１３、１４又は１５に記載の課金改定方法。
【請求項２１】
前記交換機と交換機アダプタ部、交換機アダプタ部と振り分け機能部との間の呼情報の通信接続制御方式は、
コンテンション方式を採用し、
前記振り分け機能部と各種オペレーションシステムとの間の呼情報の通信接続制御方式は、
ポーリング／セレクティング方式を採用する、
ことを特徴とする請求項１３、１４又は１５に記載の課金改定方法。
【請求項２２】
前記交換機と交換機アダプタ部との間の呼情報の通信接続制御方式は、
コンテンション方式を採用し、
前記交換機アダプタ部と振り分け機能部、振り分け機能部と各種オペレーションシステムとの間の呼情報の通信接続制御方式は、
ポーリング／セレクティング方式を採用する、
ことを特徴とする請求項１３、１４又は１５に記載の課金改定方法。
【請求項２３】
前記交換機と交換機アダプタ部との間の呼情報の通信接続制御方式は、
コンテンション方式を採用し、
前記交換機アダプタ部と振り分け機能部との間の呼情報の通信接続制御方式は、
ポーリング／セレクティング方式を採用し、
前記振り分け機能部と各種オペレーションシステムとの間の呼情報の接続制御方式は、
コンテンション方式を採用する、
ことを特徴とする請求項１３、１４又は１５に記載の課金改定方法。
【請求項２４】
前記課金改定ファイル情報の通信接続制御方式は、
無手順接続制御方式を採用する、
ことを特徴とする請求項１３、１４、１５、１６、１７、１８、１９、２０、２１、２２又は２３に記載の課金改定方法。
【請求項２５】
前記課金改定ファイル情報の通信接続制御方式は、
ポーリング／セレクティング方式を採用する、
ことを特徴とする請求項１３、１４、１５、１６、１７、１８、１９、２０、２１、２２、２３又は２４に記載の課金改定方法。
【請求項２６】
前記課金改定ファイル情報の通信接続制御方式は、
コンテンション方式を採用する、
ことを特徴とする請求項１３、１４、１５、１６、１７、１８、１９、２０、２１、２２、２３、２４又は２５に記載の課金改定方法。
【請求項２７】
前記交換機の内部の改定作業は、
前記遠隔制御装置を介する前記課金情報管理システムの命令により保守装置によって行われる、
ことを特徴とする請求項１３、１４、１５、１６、１７、１８、１９、２０、２１、２２、２３、２４、２５又は２６に記載の課金改定方法。
【発明の詳細な説明】
【０００１】
【産業上の利用分野】
本発明は、電気通信網に接続された交換機において、課金制御に必要となるデータ及び情報の管理を遠隔で行うシステムに関し、特に、交換機で発生する呼情報に関連する呼関連情報を収集・分類し、その情報を利用する応用システムに配信する通信情報システムを利用して料金改定データを含む課金改定ファイル情報を遠隔で管理する、交換機課金情報管理システム及び課金改定方法に関するものである。
【０００２】
【従来の技術】
電気通信網の高度化・統合化に伴って、交換機では多様な課金サービスに対応するための処理を必要とする。このため、通話料金等の料金改定に伴うデータを含むファイルの更新や保守・管理が重要となってきている。
【０００３】
図９はこのような交換機の課金データの改定に伴い交換機の課金情報を書き換える方法の一例を説明するシステム構成の説明図である。図中、αは通信網、Ａは交換機Ａ１，保守装置Ａ２，ファイル受信装置Ａ３等で構成される交換局、Ｂは中央管理局、１は各加入者、２は交換局Ａと中央管理局Ｂとを接続する専用の通信線である。
【０００４】
図９において、交換機Ａ１は、周知のとおり交換局Ａに設けられており、加入者１の電話機等の端末を複数接続するとともに通信網αに接続され、加入者１の電話機等の端末と通信網αとの間で通信制御や課金処理等を行う。
【０００５】
交換局Ａには、保守装置Ａ２が交換機Ａ１に接続されて設けられており、交換機Ａ１の保守・管理を行う。
【０００６】
このような交換機Ａ１で例えば料金データの改定を必要とする場合、専用の通信線２を用いて中央管理局Ｂから交換局Ａ内に設けられたファイル受信装置Ａ３に配信を行う。
【０００７】
これにより、交換局Ａでは、ファイル受信装置Ａ３から配信された更改用のファイルをオペレータが取出し、保守装置Ａ２からのオペレータの操作により交換機Ａ１に置き換えるとともに、チェック等の更改作業を行う。
【０００８】
そのほかに、既に出願されているものとしては、特願平２−１７２００８号（特開平４−６１５４５号公報）に述べられている「公衆電話課金方式」、または、特願平３−１５９０２２号（特開平５−１４５５３号公報）に述べられている「電子交換機システム」が上げられる。
【０００９】
【発明が解決しようとする課題】
ところが、上記の従来のファイル更改方法においては、交換機Ａ１へのファイル更改作業にあたって、必ず交換局Ａにおいてオペレータの作業を必要とするという問題点が存在した。
【００１０】
すなわち、大規模な料金改定データを配信するためには、配信のために容量の多い専用の通信線を必要とし、設備を確保するための経済的な負担が大きくなるというのが、まず、第１の問題点である。
【００１１】
次に、交換機への料金改定データ転送に、必ず交換局のオペレータの操作を必要とし、しかも、交換局側でチェック等の更改作業を交換局のオペレータの操作で行うため、全国規模でのオペレータの育成が必要であり、多くの稼働が必要となるというのが、第２の問題点である。
【００１２】
また、特開平４−６１５４５号公報及び特開平５−１４５５３号公報に記載されている「公衆電話課金方式」及び「電子交換機システム」では、公衆電話から通話する毎に通話先の情報（電話番号）を交換機からＳＣＰ（＝課金装置）に向けて通知して当該ＳＣＰに処理をさせるため、ＳＣＰに極めて高い処理能力が要求されることになり、しかも処理がＳＣＰに集中するのでＳＣＰにおけるコストが極めて高くなる。
【００１３】
さらに、ＳＣＰにて一括して課金計算を行うため、ＳＣＰが故障した場合、もしくは、ＳＣＰへの共通信号線に異常がある場合には、当該異常部位に関連する全ての通話についての料金計算が不可能或いは送信不能となる。従って、信号線或いはＳＣＰに非常に高い信頼性が要求され、設備投資や運営経費が極めて高くなってしまう。
【００１４】
ここにおいて、本発明の解決すべき主要な技術的課題を次に列挙する。
本発明の第１の目的は、大規模な料金改定データを含む課金改定ファイル情報を効率よく各交換機に自動配信するとともに、交換機へのデータ置き換えも自動的に行うことが可能な、交換機課金情報管理システム及び課金改定方式を提供せんとするものである。
【００１５】
本発明の第２の目的は、大規模な課金改定ファイル情報を配信するために容量の多い専用の通信回線を不要とした経済的な、交換機課金情報管理システム及び課金改定方式を提供せんとするものである。
【００１６】
本発明の第３の目的は、交換局でのオペレータの操作を不要にでき、集中的に改定作業を行うことが可能な、交換機課金情報管理システム及び課金改定方式を提供せんとするものである。
【００１７】
本発明の他の目的は、明細書及び図面、特に特許請求の範囲を参照することにより自ずと明らかになるであろう。
【００１８】
【課題を解決するための手段】
前記課題の解決は、本発明が次に列挙する新規な特徴的構成手段及び構成手法を採用することにより達成される。
すなわち、本発明システムの第１の特徴は、通信網に配置された交換局内の交換機で生成される呼に関連する情報である呼情報を分類して、当該分類された情報を利用するオペレーションシステムに配信するために、課金情報管理システムと、交換機と、交換機アダプタ部と、振り分け機能部と、オペレーションシステムと、情報伝達部とを備える交換機課金情報管理システムにおいて、前記課金情報管理システムは、前記振り分け機能部から前記情報伝達部を介して改定が必要となった前記交換機を制御する課金処理プログラム及び課金情報データが記述されている改定対象ファイル情報を受信すると、当該改定対象ファイル情報を改定し、改定後の課金処理プログラム及び課金情報データを課金改定ファイル情報として前記情報伝達部を介し前記振り分け機能部に対して送信する機能を有し、前記交換機は、前記呼情報を収集し編集して前記交換機アダプタ部に送信する機能と、前記改定対象ファイル情報を収集して前記交換機アダプタ部に送信する機能と、前記交換機アダプタ部から前記課金改定ファイル情報を受信すると、当該課金改定ファイル情報内の課金データと現在使用している課金データとを交換して課金処理を行う機能とを有し、前記交換機アダプタ部は、前記交換機から受信した前記呼情報及び前記改定対象ファイル情報を収集し前記振り分け機能部に直接または前記情報伝達部を介して送信する機能と、前記振り分け機能部から直接または前記情報伝達部を介して前記課金改定ファイル情報を受信すると、前記交換機に当該課金改定ファイル情報を送信する機能とを有し、前記振り分け機能部は、前記交換機アダプタ部から前記呼情報または前記改定対象ファイル情報を受信して振り分けて蓄積し、前記オペレーションシステムまたは前記課金情報管理システムからの要求に応じて、当該要求のあったオペレーションシステムまたは前記課金情報管理システムに対して、前記情報伝達部を介して前記呼情報または前記改定対象ファイル情報を送信する機能と、前記情報伝達部を介して前記課金情報管理システムから前記課金改定ファイル情報を受信すると、管轄する前記交換機アダプタ部に直接または前記情報伝達部を介して送信する機能とを有し、前記遠隔制御装置は、前記課金情報管理システムから前記通信網内の各交換局内の前記各交換機を制御する情報を受信すると、当該情報を解析し、解析後の命令を送信対象の前記交換機に対して、送信する機能と、前記交換機から当該命令を実行した後の応答メッセージを受信すると、当該応答メッセージを解析し、前記課金情報管理システムに送信する機能とを有すしてなる換機課金情報管理システムである。
【００１９】
本発明システムの第２の特徴は、前記本発明システムの第１の特徴における遠隔制御装置が、前記交換機の外部に設置された保守装置に対して前記命令を送信し、当該保守装置から前記応答メッセージを受信してなる交換機課金情報管理システムである。
【００２０】
本発明システムの第３の特徴は、前記本発明システムの第１又は第２の特徴における交換機アダプタ部が、部内各部の動作を制御するシステム制御部と、当該システム制御部で使用する情報を記録したシステム情報記憶部と、前記振り分け機能部から直接または前記情報伝達部を介して送信されてくる前記課金改定ファイル情報、前記交換機から送信される前記呼情報及び前記改定対象ファイル情報を受信する受信部と、当該受信部により受信された当該課金改定ファイル情報、呼情報及び改定対象ファイル情報を一時的に蓄積する蓄積部と、管轄する前記各交換局内の前記交換機に対して当該蓄積部に蓄積された前記課金改定ファイル情報を前記情報伝達部を介して送信する機能と、管轄している前記振り分け機能部に対して前記呼情報または前記改定対象ファイル情報を直接または前記情報伝達部を介して送信する機能とを有する配信部と、前記蓄積部に蓄積された前記課金改定ファイル情報内のファイル管理情報を取り出すファイル管理情報取出部と、当該ファイル管理情報取出部で取り出された情報により前記送信部における前記課金改定ファイル情報の送信を制御する配信制御部と、を具備してなる交換機課金情報管理システムである。
【００２１】
本発明システムの第４の特徴は、前記本発明システムの第３の特徴におけるファイル管理情報が、前記各交換局内に設けられた前記交換機の配信リストである交換機課金情報管理システムである。
【００２２】
本発明システムの第５の特徴は、前記本発明システムの第３又は第４の特徴における交換機アダプタ部は、管轄する前記各交換機に対して前記呼情報及び前記改定対象ファイル情報の配信を要求する信号を送信する配信要求送信部と、管轄している前記振り分け機能部から前記呼情報及び前記改定対象ファイル情報の配信を要求する信号を受信する配信要求受信部と、当該転送要求受信部が配信を要求する信号を受信すると、前記配信部に対して配信を開始するよう指示する配信指示部と、を具備してなる交換機課金情報管理システムである。
【００２３】
本発明システムの第６の特徴は、前記本発明の第１、第２、第３、第４又は第５の特徴における振り分け機能部が、部内各部の動作を制御するシステム制御部と、当該システム制御部で使用する情報を記録したシステム情報記憶部と、前記課金情報管理システムから前記情報伝達部を介して送出される課金改定ファイル情報を受信するファイル受信部と、前記交換機アダプタ部から送信されてくる前記呼情報、前記改定対象ファイル情報、定期通知イベント及び一旦送信された前記課金改定ファイル情報の前記交換機アダプタ部で受信した内容を返信してくる照合用情報とを、振り分ける収集振り分け部と、当該収集振り分け部において振り分けられた前記呼情報、前記改定対象ファイル情報、前記定期通知イベント、前記照合用情報及び前記ファイル受信部で受信された前記課金改定ファイル情報と、をそれぞれ別個のファイルに蓄積する蓄積部と、前記照合用情報を比較し照合するファイル照合部と、当該蓄積部に蓄積された前記課金改定ファイル情報を、前記交換機を管轄している前記交換機アダプタ部に向けて直接又は前記情報伝達部を介して配信するファイル情報配信部と、前記蓄積部に蓄積された前記呼情報を、各種オペレーションを実行する一つ又は複数の前記オペレーションシステムに向けて配信する配信部と、前記課金情報管理システムの要求に応じて、前記照合用情報及び前記改定対象ファイル情報を送信するファイル送信・参照部と、を具備してなる交換機課金情報管理システムである。
【００２４】
本発明システムの第７の特徴は、前記本発明システムの第６の特徴における振り分け機能部は、管轄する前記各交換機アダプタ部に対して前記呼情報及び前記改定対象ファイル情報の配信を要求する信号を送信する配信要求送信部と、前記各オペレーションシステムからの前記呼情報の配信を要求する信号と前記課金情報管理システムからの前記改定対象ファイル情報の配信を要求する信号を受信する配信要求受信部と、当該転送要求受信部が配信を要求する信号を受信すると、前記配信部に対して配信を開始するよう指示する配信指示部と、を具備してなる交換機課金情報管理システムである。
【００２５】
本発明システムの第８の特徴は、前記本発明システムの第６又は第７の特徴における収集振り分け部は、前記各交換機アダプタ部から必要な情報を収集する収集部と、当該収集部により収集された前記呼情報と前記改定対象ファイル情報と前記照合用情報の比較及び分類に必要な項目テーブルを記憶した情報分類参照用テーブル記憶部と、当該情報分類参照用テーブル記憶部に記憶されたテーブルにより前記各呼情報と前記改定対象ファイル情報と前記照合用情報を分類する分類部と、当該分類部により分類された前記呼情報と前記改定対象ファイル情報と前記照合用情報を前記蓄積部の各対応部分に分配する分配部と、を具備してなる交換機課金情報管理システムである。
【００２６】
本発明システムの第９の特徴は、前記本発明システムの第６、第７又は第８の特徴における収集振り分け部は、前記各交換機アダプタ部から必要な情報を収集する収集部と、当該収集部により収集された前記呼情報と前記改定対象ファイル情報と前記照合用情報の分類に必要なテーブルを記憶した情報分類参照用テーブル記憶部と、当該情報分類参照用テーブル記憶部に記憶されたテーブルにより前記各呼情報と前記改定対象ファイル情報と前記照合用情報を分類して呼情報を蓄積部の各対応部分に分配する比較・分配部と、を具備してなる交換機課金情報管理システムである。
【００２７】
本発明システムの第１０の特徴は、前記本発明システムの第６、第７、第８又は第９の特徴におけるファイル情報配信部は、前記蓄積部内に蓄積されている前記各課金改定ファイル情報を読み出す読出し収容部と、当該読出し収容部で読み出した前記課金改定ファイル情報を管轄する前記各交換機アダプタ部に配信するアダプタ配信部と、を具備してなる交換機課金情報管理システムである。
【００２８】
本発明システムの第１１の特徴は、前記本発明システムの第１、第２、第３、第４、第５、第６、第７、第８、第９又は第１０の特徴における遠隔制御装置が、装置内各部の動作を制御するシステム制御部と、当該システム制御部で使用する情報を記録したシステム情報記憶部と、前記課金情報管理システムからの命令を受信する受信部と、当該命令を実行した交換機から実行結果の情報として応答メッセージを受信する応答メッセージ受信部と、前記受信部に受信された命令をどの交換機に対する命令かを解析し、かつ前記応答受信部に受信された応答メッセージを受けてどの課金情報管理システムに対する応答メッセージかを解析する解析部と、当該解析部の解析結果を受けて、前記交換機を保守する前記保守装置若しくは前記交換機に命令を配信する命令配信部と、前記解析部の解析結果を受けて、応答メッセージを前記課金情報管理システムへ送信する応答メッセージ配信部と、を具備してなる交換機情報転送管理システムである。
【００２９】
本発明システムの第１２の特徴は、前記本発明システムの第１、第２、第３、第４、第５、第６、第７、第８、第９、第１０又は第１１の特徴における課金情報管理システムが、プログラムを内蔵して各種ファイル情報の処理を行うシステム処理部と、振り分け機能部との情報の授受を行う通信制御部とを備え、当該通信制御部は、通信制御部の動作を制御するシステム制御部と、当該システム制御部の制御に必要な各種情報を記憶するシステム情報記憶部と、前記各振り分け機能部から前記改定対象ファイル情報を受信するファイル情報受信部と、前記各振り分け機能部に対して前記課金改定ファイル情報の配信を開始することを通知する送信開始通知送信部と、前記システム処理部から送付されてくる前記課金改定ファイル情報を確認するファイル情報確認部と、当該ファイル情報確認部で確認された宛先交換機を管轄する交換機アダプタ部をさらに管轄する前記振り分け機能部に対して、前記課金改定ファイル情報を送信するファイル情報送信部と、前記遠隔制御装置に対して前記各交換機への制御命令を送信する制御命令送信部と、前記遠隔制御装置から応答メッセージを受信する応答メッセージ受信部と、を具備してなる交換機情報転送管理システムである。
【００３０】
本発明方法の第１の特徴は、加入者の通信網の利用に従って交換機で生成される呼情報を分類して所定の呼情報を利用するオペレーションシステムに配信を行い、かつ課金情報管理システムを備えて各交換局内の交換機に対して課金改定ファイル情報を配信する、情報伝達部、交換機アダプタ部，振り分け機能部及び遠隔制御装置を備える交換機課金情報管理システムにおいて、まず、前記呼情報を通信網の前記各交換機において一旦蓄積してから管轄している前記交換機アダプタ部に転送し、次に、複数の前記各交換機を管轄する前記交換機アダプタ部において前記呼情報をさらに蓄積してから前記振り分け機能部に転送し、そして、前記複数の交換機アダプタ部を管轄する前記振り分け機能部において、前記呼情報の必要とする部分に応じて比較・分類して振り分けて蓄積し、さらに、当該振り分け機能部において比較・分類の後に蓄積された前記呼情報を利用する各種オペレーションシステムに配信することにより、前記呼情報を前記各種オペレーションシステムの各種プログラムで利用し、かつ、まず、前記課金情報管理システムから前記遠隔制御装置を介して前記交換機に対し、改定する対象の情報を改定対象ファイル情報として送信するよう命令し、次に、当該交換機から当該改定対象ファイル情報を当該交換機を管轄している前記交換機アダプタ部に転送して、同時に、前記遠隔制御装置に対して当該改定対象ファイル情報を送信した旨応答メッセージを送出し、次に、複数の前記交換機アダプタ部を管轄する前記振り分け機能部において、前記改定対象ファイル情報を蓄積し、次に、当該振り分け機能部において蓄積された前記改定対象ファイル情報を必要とする前記課金情報管理システムに送信し、次に、当該課金情報管理システムで前記改定対象ファイル情報を参照しながら課金改定ファイル情報を生成し、次に、当該課金改定ファイル情報を、当該課金改定ファイル情報の宛先となっている前記交換機を管轄している前記交換機アダプタ部をさらに管轄している前記振り分け機能部に配信して、同時に前記遠隔制御装置を介して前記交換機に当該課金改定ファイル情報を受領したら改定作業を行うよう命令し、次に、前記課金改定ファイル情報を前記振り分け機能部において一旦蓄積してから前記交換機アダプタ部に配信し、そして、前記交換機アダプタ部で一旦蓄積してから前記課金改定ファイル情報を前記交換機に送信し、さらに、受信した前記各交換機で当該課金改定ファイル情報を利用して、前記交換機内部の課金改定作業を行ってなる課金改定方法である。
【００３１】
本発明方法の第２の特徴は、前記本発明方法の第１の特徴における方法が、前記交換機で受信した前記課金改定ファイル情報を、当該交換機内部で直接使用する形態の課金データに変換・蓄積してなる課金改定方法である。
【００３２】
本発明方法の第３の特徴は、前記本発明方法の第１又は第２の特徴における方法が、前記交換局内の前記交換機で受信した前記課金改定ファイル情報を、一旦、前記交換機アダプタ部に返信し、さらに、当該交換機アダプタ部で受信した前記返信された課金改定ファイル情報を前記振り分け機能部に返信して、当該振り分け機能部において、前記送信した課金改定ファイル情報と前記返信されてきた課金改定ファイル情報の照合を行い、相違点があれば、当該振り分け機能部内の蓄積部に蓄積されている課金改定ファイル情報を再度前記交換機アダプタ部へ送信し、相違点がなければ、前記交換機アダプタ部へ良好の指示を出し、前記振り分け機能部から送信されてきた再度の前記課金改定ファイル情報若しくは良好の指示を前記交換機アダプタ部から前記交換局内の交換機へ送信した後に、課金改定作業を実行してなる課金改定方法である。
【００３３】
本発明方法の第４の特徴は、前記本発明方法の第１、第２又は第３の特徴における交換機と交換機アダプタ部、交換機アダプタ部と振り分け機能部、振り分け機能部と各種オペレーションシステムとの間の呼情報の通信接続制御方式が、ポーリング／セレクティング方式を採用してなる課金改定方法である。
【００３４】
本発明方法の第５の特徴は、前記本発明方法の第１、第２又は第３の特徴における交換機と交換機アダプタ部、交換機アダプタ部と振り分け機能部、振り分け機能部と各種オペレーションシステムとの間の呼情報の通信接続制御方式が、コンテンション方式を採用してなる課金改定方法である。
【００３５】
本発明方法の第６の特徴は、前記本発明方法の第１、第２又は第３の特徴における交換機と交換機アダプタ部、交換機アダプタ部と振り分け機能部との間の呼情報の通信接続制御方式が、ポーリング／セレクティング方式を採用し、前記振り分け機能部と各種オペレーションシステムとの間の呼情報の通信接続制御方式は、コンテンション方式を採用してなる課金改定方法である。
【００３６】
本発明方法の第７の特徴は、前記本発明方法の第１、第２又は第３の特徴における交換機と交換機アダプタ部との間の呼情報の通信接続制御方式が、ポーリング／セレクティング方式を採用し、前記交換機アダプタ部と振り分け機能部、振り分け機能部と各種オペレーションシステムとの間の呼情報の通信接続制御方式が、コンテンション方式を採用してなる課金改定方法である。
【００３７】
本発明方法の第８の特徴は、前記本発明方法の第１、第２又は第３の特徴における交換機と交換機アダプタ部との間の呼情報の通信接続制御方式は、ポーリング／セレクティング方式を採用し、前記交換機アダプタ部と振り分け機能部との間の呼情報の通信接続制御方式は、コンテンション方式を採用し、前記振り分け機能部と各種オペレーションシステムとの間の呼情報の通信接続制御方式は、ポーリング／セレクティング方式を採用してなる課金改定方法である。
【００３８】
本発明方法の第９の特徴は、前記本発明方法の第１、第２又は第３の特徴における交換機と交換機アダプタ部、交換機アダプタ部と振り分け機能部との間の呼情報の通信接続制御方式が、コンテンション方式を採用し、前記振り分け機能部と各種オペレーションシステムとの間の呼情報の通信接続制御方式が、ポーリング／セレクティング方式を採用してなる課金改定方法である。
【００３９】
本発明方法の第１０の特徴は、前記本発明方法の第１、第２又は第３の特徴における交換機と交換機アダプタ部との間の呼情報の通信接続制御方式が、コンテンション方式を採用し、前記交換機アダプタ部と振り分け機能部、振り分け機能部と各種オペレーションシステムとの間の呼情報の通信接続制御方式は、ポーリング／セレクティング方式を採用してなる課金改定方法である。
【００４０】
本発明方法の第１１の特徴は、前記本発明方法の第１、第２又は第３の特徴における交換機と交換機アダプタ部との間の呼情報の通信接続制御方式が、コンテンション方式を採用し、前記交換機アダプタ部と振り分け機能部との間の呼情報の通信接続制御方式が、ポーリング／セレクティング方式を採用し、前記振り分け機能部と各種オペレーションシステムとの間の呼情報の接続制御方式が、コンテンション方式を採用してなる課金改定方法である。
【００４１】
本発明方法の第１２の特徴は、前記本発明方法の第１、第２、第３、第４、第５、第６、第７、第８、第９、第１０又は第１１の特徴における課金改定ファイル情報の通信接続制御方式が、無手順接続制御方式を採用してなる課金改定方法である。
【００４２】
本発明方法の第１３の特徴は、前記本発明方法の第１、第２、第３、第４、第５、第６、第７、第８、第９、第１０又は第１１の特徴における課金改定ファイル情報の通信接続制御方式が、ポーリング／セレクティング方式を採用してなる課金改定方法である。
【００４３】
本発明方法の第１４の特徴は、前記本発明方法の第１、第２、第３、第４、第５、第６、第７、第８、第９、第１０又は第１１の特徴における課金改定ファイル情報の通信接続制御方式が、コンテンション方式を採用してなる課金改定方法である。
【００４４】
本発明方法の第１５の特徴は、前記本発明方法の第１、第２、第３、第４、第５、第６、第７、第８、第９、第１０、第１１、第１２、第１３又は第１４の特徴における交換機の内部の改定作業が、前記遠隔制御装置を介する前記課金情報管理システムの命令により保守装置によって行われてなる課金改定方法である。
【００４５】
【作用】
本発明は、上記のような手段及び手法を講じるので、課金改定に際して、専用線を必要とせず、さらに改定作業及びその後のチェック作業についても、オペレータの操作を必要としない。
【００４６】
【実施例】
（システム構成例）
本発明のシステム構成例を図面につき説明する。
図１は、本システム例の構成を説明する説明図である。図中、α′は通信網、Ａ１′は各交換機、Ｃ１，Ｃ２，Ｃ２′，Ｃ３は情報伝達部、Ｄは情報転送装置、Ｄ１，Ｅ１〜Ｅｎは交換機アダプタ部、Ｄ２，Ｆは振り分け機能部、Ｇは課金情報管理システム、Ｈ１〜Ｈｎはオペレーションシステム、Ｊは遠隔制御装置である。
【００４７】
図１に示すシステム例において、通信網α′の各交換機Ａ１′は、情報伝達部Ｃ１を介して交換機アダプタ部Ｄ１，Ｅ１〜Ｅｎと接続される。
【００４８】
交換機アダプタ部Ｄ１，Ｅ１〜Ｅｎは、情報伝達部Ｃ２，Ｃ２′を介して、又は直接に、振り分け機能部Ｄ２，Ｆと接続される。
【００４９】
振り分け機能部Ｄ２，Ｆは情報伝達部Ｃ３を介して課金情報管理システムＧと複数のオペレーションシステムＨ１〜Ｈｎと接続される。
【００５０】
なお、図１上部に示すように、交換機アダプタ部Ｄ１と振り分け機能部Ｄ２とを直接接続して一体的に構成し、情報転送制御部Ｄとしてもよい。
【００５１】
この場合、図１のように振り分け機能部Ｄ２を情報伝達部Ｃ２を介して接続される交換機アダプタ部Ｅ１，Ｅ２と共通に接続するようにしてもよいし、ここでは図示しないが、情報転送制御部Ｄの交換機アダプタ部Ｄ１のみに接続するようにしてもよい。
【００５２】
交換機アダプタ部Ｄ１，Ｅ１〜Ｅｎは、通信網α′内の交換機Ａ１′のうち各々の管轄が決められている。
【００５３】
また、交換機アダプタ部Ｄ１，Ｅ１〜Ｅｎは、各々管轄される振り分け機能部Ｄ２，Ｆに直接、または情報伝達部Ｃ２，Ｃ２′を介して、接続される。
【００５４】
たとえば、図１に図示されるように、交換機アダプタ部Ｄ１は振り分け機能部Ｄ２に直接に、交換機アダプタ部Ｅ１，Ｅ２は情報伝達部Ｃ２を介して、それぞれ振り分け機能部Ｄ２に接続される。同様に、交換機アダプタ部Ｅｎ−１，Ｅｎは情報伝達部Ｃ２′を介して振り分け機能部Ｆに接続される。
【００５５】
各交換機Ａ１′は、通信に伴って発生する発信者及び着信者の識別番号，通話時間，利用したサービス等、当該交換局Ａ′を介して行われた通信毎の内容を表す一連の可変長データである呼情報及び交換機Ａ１′内に存在するプログラムやデータ等を改定するための改定対象ファイル情報を、情報伝達部Ｃ１に送出する。
【００５６】
この呼情報及び改定対象ファイル情報は、管轄する交換機アダプタ部Ｄ１，Ｅ１〜Ｅｎで受信しある程度振り分けされ、さらに振り分け機能部Ｄ２，Ｆで所定項目に従って分類され振り分けられ蓄積される。
【００５７】
蓄積された呼情報及び改定対象ファイル情報は、情報伝達部Ｃ３を介してオペレーションシステムＨ１〜Ｈｎ及び課金情報管理システムＧより選択的に取り出され、各オペレーションシステムＨ１〜Ｈｎにおいては各種課金処理、トラフィック管理など、呼情報を利用した所定の各種情報処理が行われ、課金情報管理システムＧでは改定対象ファイル情報を利用して改定後の情報として課金改定ファイルを作成する。
【００５８】
一方、課金情報管理システムＧは、各交換局Ａ′内の交換機で必要となる課金データ等の課金改定ファイル情報を、情報伝達部Ｃ３を介して振り分け機能部Ｄ２，Ｆに送出し、蓄積する。
【００５９】
次に、この課金改定ファイル情報は、情報伝達部Ｃ２，Ｃ２′を介して又は直接に、交換機アダプタ部Ｄ１，Ｅ１〜Ｅｎに分配送信されて、蓄積される。
【００６０】
さらにこの課金改定ファイル情報は、情報伝達部Ｃ１を介して管轄される各交換局Ａ′内の各交換機に配信され、旧課金情報（データ）と置き換えが行われる。
【００６１】
［装置構成例］
（交換機アダプタ部の構成例）
以下に、図面を用いて、上記システム例に使用された各部の詳細な構造を説明する。
図２は、交換機アダプタ部Ｄ１，Ｅ１〜Ｅｎの好適な構成例を示すブロックダイアグラムである。図中、３はシステム制御部、４はシステム制御部３の各部の制御に必要な情報を収容しているシステム情報記憶部、５は受信部、６は蓄積部、７は配信部、８はファイル管理情報取出部、９は配信制御部、１０は配信要求送信部、１１は配信指示部、１２は配信要求受信部である。
【００６２】
なお、図２においては、交換機アダプタ部Ｅ１〜Ｅｎの構造については、交換機アダプタ部Ｄ１と構造が同一であるため、省略表示している。
【００６３】
図２は、振り分け機能部Ｄ２，Ｆとの間で配信の際の接続制御方式として振り分け機能部Ｄ２，Ｆが制御局となるポーリング／セレクティング方式（以下、単に「ポーリング方式」とする）を採用し、同様に、交換機Ａ１′との間で転送の際の接続制御方式として交換機アダプタ部Ｄ１，Ｅ１〜Ｅｎが制御局となるポーリング方式を採用した場合の、ブロックダイアグラムである。
【００６４】
なお、図２においては、交換機アダプタ部Ｄ１，Ｅ１〜Ｅｎが管轄する交換機はＡ１′の３つにとどまっているが、管轄する交換機Ａ１′の数は図２に示した例に限定されるものではなく、交換機アダプタ部Ｄ１，Ｅ１〜Ｅｎが１つまたはそれ以上の、複数の任意の数の交換機Ａ１′を管轄しうることは言うまでもない。
【００６５】
また、図２においては、接続制御方式をポーリング方式を採用した場合の構成を説明しているが、もちろん、接続制御方式としてコンテンション方式を採用するのも自由であり、その他に例えば交換機Ａ１′との接続制御方式にポーリング方式を採用し振り分け機能部Ｄ２，Ｆとの接続制御方式にコンテンション方式を採用すること等、両者を混在することは可能である。
【００６６】
さらに、他の接続制御方式を採用することも可能であるが、当該接続制御方式に準じた送受信及び接続転送の制御を行う部位を設けるのは、当然のことである。
【００６７】
そして、呼情報及び改定対象ファイル情報を転送する相手方の、管轄する振り分け機能部Ｄ２，Ｆの輻輳・故障の場合に備えて、ある程度の余裕を持って蓄積部６を構成したり、また、ここには図示しないが予備の蓄積部を構成すること等も当然のことである。
【００６８】
図２に基づいて、交換機アダプタ部Ｄ１，Ｅ１〜Ｅｎの詳細な構成を説明する。
まず、交換機アダプタ部Ｄ１，Ｅ１〜Ｅｎは、部内各部の動作を制御するシステム制御部３と、当該システム制御部３によって使用される制御情報を記憶するシステム情報記憶部４とを具備している。
【００６９】
配信要求送信部１０は、管轄する各交換機Ａ１′に対して呼情報及び改定対象ファイル情報を配信するよう要求する信号を送信する。
【００７０】
受信部５は、まず、第一の役割として、管轄する交換機Ａ１′から送られてくる呼情報及び改定対象ファイル情報を並列に受信し、また、第二の役割として、振り分け機能部Ｄ２，Ｆから送られてくる課金改定ファイル情報を受信する。
【００７１】
受信部５で受信された呼情報及び改定対象ファイル情報または課金改定ファイル情報は、システム制御部３からの指令に従って蓄積部６に逐次蓄積される。
【００７２】
蓄積部６に蓄積された呼情報及び改定対象ファイル情報は、システム制御部３からの指令に基づいて、順次、配信部７に送出され、直接または情報伝達部Ｃ２，Ｃ２′を介して振り分け機能部Ｄ２，Ｆに送出される。
【００７３】
蓄積部６に蓄積された課金改定ファイル情報は、システム制御部３からの指定に基づいて、順次配信部７に送られ、情報伝達部Ｃ１を介して、当該交換機アダプタ部Ｄ１，Ｅ１〜Ｅｎが管轄する交換機Ａ１′に送出される。
【００７４】
このとき、課金改定ファイル情報に含まれる管理情報がファイル管理情報取出部８で取り出され、配信制御部９での制御に利用される。
【００７５】
蓄積部６では、各交換機Ａ１′から送信されてきて蓄積された呼情報及び改定対象ファイル情報を、それぞれ別の所定の容量毎又は所定の時間毎にファイルとして管理し、このファイル単位で転送等の処理を行う。
【００７６】
配信要求受信部１２では、振り分け機能部Ｄ２，Ｆからの配信を要求する信号を受信する。配信指示部１１では配信を要求する信号を受信したら配信部７に対して送信するよう指示する。
【００７７】
受信部５及び配信部７では、情報の送受信のためのフロー制御機能や二重化回線の回線管理機能を設けている。
【００７８】
（振り分け機能部の構成例）
次に、振り分け機能部Ｄ２，Ｆの構成を図面につき説明する。
図３は、振り分け機能部Ｄ２，Ｆの好適な構成例を説明するブロックダイアグラムである。図中、１３はシステム制御部、１４はシステム情報記憶部、１５は収集振り分け部、１６は蓄積部、１７は配信部、１８は課金情報管理システムＧからの課金改定ファイル情報を受信するファイル受信部、１９はファイル送信・参照部、２０はファイル照合部、２１はファイル情報配信部、２２は配信要求送信部、２３は配信要求受信部、２３ａは配信指示部である。
【００７９】
図３は、オペレーションシステムＨ１〜Ｈｎ及び課金情報管理システムＧとの間で転送の際の接続制御方式としてオペレーションシステムＨ１〜Ｈｎ及び課金報管理システムが制御局となるポーリング方式を採用し、同様に、交換機アダプタ部Ｄ１，Ｅ１〜Ｅｎとの間で転送の際の接続制御方式として振り分け機能部Ｄ２，Ｆが制御局となるポーリング方式を採用した場合のブロックダイアグラムである。
【００８０】
また、図３においては、接続制御方式をポーリング方式を採用した場合の構成を説明しているが、もちろん、接続制御方式としてコンテンション方式を採用するのも自由であり、その他に、例えば交換機アダプタ部Ｄ１，Ｅ１〜Ｅｎとの接続制御方式にポーリング方式を採用しオペレーションシステムＨ１〜Ｈｎ及び課金情報管理システムＧとの接続制御方式にコンテンション方式を採用すること等、両者を混在することは可能である。
【００８１】
さらに、他の接続制御方式を採用することも可能であるが、当該接続制御方式に準じた送受信及び接続転送の制御を行う部位を設けるのは、当然のことである。
【００８２】
そして、呼情報を転送する相手方の、管轄する振り分け機能部Ｄ２，Ｆの輻輳・故障の場合に備えて、ある程度の余裕を持って蓄積部１６を構成したり、また、ここには図示しないが予備の蓄積部を構成すること等も当然のことである。
【００８３】
以下に図３につき振り分け機能部Ｄ２，Ｆを詳細に構成を説明する。
振り分け機能部Ｄ２，Ｆは、部内各部の動作を制御するシステム制御部１３と、当該システム制御部１３により使用される制御情報を記憶するシステム情報記憶部１４を備える。
【００８４】
交換機Ａ１′から送られてくる呼情報の処理に関しては、管轄する各交換機アダプタ部Ｄ１，Ｅ１〜Ｅｎからの呼情報を受信して所定の条件により分類し振り分ける収集振り分け部１５と、収集振り分け部１５で振り分けられた呼情報を分類毎に用意されたファイルｄａ１〜ｄａｎに蓄積する蓄積部１６と、オペレーションシステムＨ１〜Ｈｎからの要求に応じて蓄積部１６に蓄積されたファイルｄａ１〜ｄａｎを指定して当該送信を要求してきたオペレーションシステムＨ１〜Ｈｎに指定ファイルの呼情報を送信する配信部１７とにより処理される。
【００８５】
以下に、図３に図示されるような振り分け機能部Ｄ２，Ｆの各構成要素を図面につき説明する。
図４は、収集振り分け部１５の構成例を示すブロックダイアグラムである。図中、１５ａは収集部、１５ｂは分類部、１５ｃは情報分類参照用テーブル記憶部、１５ｄは分配部である。
【００８６】
収集部１５ａは交換機アダプタ部Ｄ１，Ｅ１〜Ｅｎから送信されてくる呼情報及び改定対象ファイル情報を一時的に記憶し、分類部１５ｂは情報分類参照用テーブル記憶部１５ｃに記憶されているテーブルを参照して、収集部１５ａに記憶された情報のデータ内容を確認して所定の項目により情報を、呼情報，定期通知イベント，改定対象ファイル情報に分類する。
【００８７】
当該分類部１５ｂにより分類された情報は、分配部１５ｄを介して蓄積部１６のそれぞれ所定のファイルｄｘ，ｄａ１〜ｄａｎに分配される。
【００８８】
振り分け機能部Ｄ２，Ｆにおける呼情報の分類及び各ファイルへの書き込み動作等は上記の通りである。振り分け機能部Ｄ２，Ｆでは、管轄する交換機アダプタ部Ｄ１，Ｅ１〜Ｅｎの複数から並行して情報の収集，分類，蓄積部１６への書き込みを行うことが可能である。
【００８９】
なお、蓄積部１６の各ファイルｄｘ，Ｄａ，ｄａ１〜ｄａｎへの書き込みにあたっては、空いているエリアの先頭から呼情報及び改定対象ファイル情報を書き込み、空き領域がなくなった場合には最も古い情報の上に順次上書きするようにもできる。
【００９０】
そして、ファイルｄａ１〜ｄａｎに分類されて記憶された呼情報及び改定対象ファイル情報は、各オペレーションシステムＨ１〜Ｈｎからの要求に基づき、指定された１つまたは複数のファイルｄａ１〜ｄａｎの内容を順次配信部１７より当該各オペレーションシステムＨ１〜Ｈｎに転送する。
【００９１】
配信部１７は、その伝送制御手順方式にポーリング方式を採用する場合には、各オペレーションシステムＨ１〜Ｈｎからのポーリング信号を受信し、それに応答してデータ転送指示を与え、このデータ転送指示に応答してポーリング信号を送信してきた各オペレーションシステムＨ１〜Ｈｎが必要とする分類された呼情報及び改定対象ファイル情報をファイルｄａ１〜ｄａｎのうちから該当する１あるいは複数を読出し、それらの情報を当該オペレーションシステムＨ１〜Ｈｎへ送信する。また、コンテンション方式等の他の伝送制御手順方式を採用した場合でも、これに準ずる。
【００９２】
一方、課金情報管理システムＧから送出されてくる課金改定ファイル情報の処理に関しては、課金情報管理システムＧからの課金改定ファイル情報を受信するファイル受信部１８と、課金改定ファイル情報を管轄する交換機アダプタ部Ｄ１，Ｅ１〜Ｅｎにダウンロードして配信するファイル情報配信部２１と、ファイル送信・参照部１９とから構成される。
【００９３】
また、蓄積部１６にはファイルｄｘ（ｘは１または２以上），Ｄａ，Ｄｂ，Ｄｃが設けられている。なお、課金情報管理システムＧから送られてくる課金改定ファイル情報の処理における交換機Ａ１′ならびに交換機アダプタ部Ｄ１，Ｅ１〜Ｅｎからの所定の情報の受信については収集振り分け部１５が共用される。
【００９４】
以下、課金改定ファイル情報の流れに関する各構成要素及びその接続について図面に基づき説明する。
ファイル受信部１８は、課金情報管理システムＧより各交換機Ａ１′に送付すべき課金改定ファイル情報を受信すると、当該課金改定ファイル情報をファイルＤａに蓄積する。
【００９５】
当該ファイルＤａに蓄積された課金改定ファイル情報は、ファイル情報配信部２１により管轄する各交換機アダプタ部Ｄ１，Ｅ１〜Ｅｎに配信される。図５は、ファイル情報配信部２１の好適な構成例を示すブロックダイアグラムである。図中、２１ａは読出収容部、２１ｂはアダプタ配信部である。
【００９６】
ファイル情報配信部２１は、読出収容部２１ａによりファイルＤａに蓄積された課金改定ファイル情報を読出し、さらにアダプタ配信部２１ｂにより管轄する交換機アダプタ部Ｄ１，Ｅ１〜Ｅｎへ書き出して配信を行う。
【００９７】
収集振り分け部１５では、ファイル情報配信部２１より各交換機アダプタ部Ｄ１，Ｅ１〜Ｅｎに配信した課金改定ファイル情報の交換機アダプタ部Ｄ１，Ｅ１〜Ｅｎと各交換局Ａ′内の各交換機での処理・登録結果の情報を収集部１５ａが受信し、情報分類参照用テーブル記憶部１５ｃのテーブルに基づき分類部１５ｂが分類し、蓄積部１６のファイルｄａ１〜ｄａｎに、交換機アダプタ部Ｄ１，Ｅ１〜Ｅｎと各交換局Ａ′とに対応つけられて蓄積される。
【００９８】
また、収集振り分け部１５では、ファイル情報配信部２１より管轄する各交換機アダプタ部Ｄ１，Ｅ１〜Ｅｎに配信された課金改定ファイル情報の内容の返信を収集部１５ａが受信し、情報分類参照用テーブル記憶部１５ｃのテーブルに基づき分類部１５ｂが分類し、蓄積部１６のファイルＤｂに蓄積する。
【００９９】
ファイル照合部２０は、ファイルＤａに蓄積された課金改定ファイル情報と、ファイルＤｂに蓄積された各交換機アダプタ部Ｄ１，Ｅ１〜Ｅｎからの返信されたデータ情報とを比較・照合し、当該比較・照合の結果をファイルＤｃに蓄積する。
【０１００】
ファイル送信・参照部１９は、定期的に又は課金情報管理システムＧからの要求に基づき、ファイルｄｘ及びファイルＤｃの内容を読み出して、課金情報管理システムＧに送信する。
【０１０１】
（交換機の構成例）
次に、交換局Ａ′内の交換機の構造について説明する。
図６は、本システム例に適用する交換機の好適な構造の一例を説明するブロックダイアグラムである。図中、Ａ１′は交換機、Ａ２′は保守装置、２４はシステム制御部、２５はシステム情報記憶部、２６は受信部、２７は課金情報蓄積部、２８は料金改定切替制御管理部、２９ａは現用課金データ蓄積部、２９ｂは非現用課金データ蓄積部、３０は送信部、３１は課金計算処理部、３２は呼情報発信部、３３は交換部である。
【０１０２】
交換機Ａ１′は、内部の制御を行うシステム制御部２４と、当該システム制御部２４の制御に必要な情報を記憶するシステム情報記憶部２５とを具備する。
【０１０３】
交換機Ａ１′の交換部３３は、従来の交換機Ａ１と同様、各加入者１からの通話要求を受領して、希望の通話相手に接続する。
【０１０４】
呼情報発信部３２は、交換部３３の元呼情報（起呼情報，通話時間，切断情報等）を収集して一連の固定長若しくは可変長データである呼情報に編集し、交換機アダプタ部Ｄ１，Ｅ１〜Ｅｎへ転送する。
【０１０５】
以下に、課金改定の具体的な流れの一例を図６に基づき説明する。
受信部２６は、交換機アダプタ部Ｄ１，Ｅ１〜Ｅｎから情報伝達部Ｃ１を介して送信されてくる課金改定ファイル情報を受信し、課金情報蓄積部２７へ蓄積する。
【０１０６】
課金情報蓄積部２７へ蓄積された課金改定ファイル情報は、一旦読み出されて、送信部３０へ送られ、交換機アダプタ部Ｄ１，Ｅ１〜Ｅｎへ返送される。
【０１０７】
交換機アダプタ部Ｄ１，Ｅ１〜Ｅｎは、返送された課金改定ファイル情報を照合し、その照合結果が受信部２６へ再度送信される。
【０１０８】
照合結果がダメであれば、再度、課金改定ファイル情報が交換機アダプタ部Ｄ１，Ｅ１〜Ｅｎから送信されてくる。照合結果がＯＫであれば、受信部２６はその旨を料金改定切り替え制御管理部２８へ通知する。
【０１０９】
料金改定切り替え制御管理部２８では、照合結果がＯＫとなった課金改定ファイル情報内部の管理情報を課金情報蓄積部２７から読出し、料金改定切り替え制御管理部２８内部の管理表（図示せず）に登録する。
【０１１０】
そして、管理表に登録が完了した後、送信部３０経由で情報伝達部Ｃ１を介して交換機アダプタ部Ｄ１，Ｅ１〜Ｅｎへ、登録完了通知を送出する。
【０１１１】
料金改定切り替え制御管理部２８では、内部の管理表に登録された課金情報毎の切り替え時刻の一定時刻前になると、課金情報蓄積部２７から該当する課金改定ファイル情報を読出して非現用課金データ蓄積部２９ｂへコピーするよう制御する。
【０１１２】
この時点では、課金計算処理部３１では、現用課金データ蓄積部２９ａに蓄積されている課金データを使用して課金処理を行っている。
【０１１３】
さらに、料金改定切り替え制御管理部２８は、内部の管理表に登録された課金改定ファイル情報毎の切り替え時刻になると、課金計算処理部３１に対して課金データ切り替えの指示を送出すると同時に、現用課金データ蓄積部２９ａと非現用課金データ蓄積部２９ｂの課金情報蓄積部２７側のスイッチングを行う。
【０１１４】
これにより、現用課金データ蓄積部２９ａは非現用課金データ蓄積部２９ａとなり、非現用課金データ蓄積部２９ｂは現用課金データ蓄積部２９ｂとなる。
【０１１５】
課金計算処理部３１では、料金改定切り替え制御管理部２８からの課金データ切り替え指示を受領すると、課金データが蓄積されている部位を切り替え、現用課金データ蓄積部２４ｂの課金データを使用して課金処理を行う。
【０１１６】
なお、課金改定前の非現用課金データ蓄積部２９ｂは、図６においては一系統しか示されていないが、予備系統を含めて、同時に複数の非現用課金データ蓄積部２９ｂを備えてもよいということは言うまでもない。
【０１１７】
保守装置Ａ２′は、一連の課金改定ファイル情報による課金情報の置き換えが終了した後、遠隔制御装置Ｊによって制御され、改定後のチェック作業などを行う。
【０１１８】
図６においては、交換局Ａ′内の交換機Ａ１′が一系統しか示されていないが、交換局Ａ′内に複数の交換機Ａ１′が設置されていても、同様の構造をとる限り、同様の動作が行われる。
【０１１９】
（課金管理情報システムの構成例）
次に、課金情報管理システムＧの構造について説明する。
図７は、本システム例における課金情報管理システムＧの好適な構成の一例を示すブロックダイアグラムである。図中、Ｇαは課金改定ファイル情報の作成作業，各交換局Ａ′内の交換機Ａ１′のデータの改定などを行うシステム処理部、Ｇβは通信制御部、３４はシステム制御部、３５はシステム情報記憶部、３６はファイル情報受信部、３７はファイル情報確認部、３８はファイル情報送信部、３９は送信開始通知部、４０は制御命令送信部、４１は応答メッセージ受信部である。
【０１２０】
課金情報管理システムＧの通信制御部Ｇβは、内部の制御を行うシステム制御部３４と、当該システム制御部３４の制御に必要な情報を記憶するシステム情報記憶部３５とを具備する。
【０１２１】
ファイル情報受信部３６は、振り分け機能部Ｄ２，Ｆから情報伝達部Ｃ３を介して送出されてくる各交換局Ａ′内の交換機Ａ１′の改定対象ファイル情報及び振り分け機能部Ｄ２，Ｆ内の蓄積部１６のファイルＤｃに蓄積された照合結果ファイルを受信して分類する。
【０１２２】
当該分類された改定対象ファイル情報及び照合結果ファイルは、システム処理部Ｇαに送付される。なお、図示しないが、蓄積部を設けて一旦蓄積部に蓄積された後、送付されるように構成するのも自由である。
【０１２３】
システム処理部Ｇαでは、送付されてきた情報のうち、改定対象ファイル情報を参照して新たな課金改定ファイル情報を作成して、ファイル情報確認部３７へ送付する。
【０１２４】
ファイル情報確認部３７では、ファイル情報受信部３６で受信した改定対象ファイル情報と、システム処理部Ｇαで作成された課金改定ファイル情報との同一交換局Ａ′内の交換機Ａ１′に向けた情報であることを確認し、ファイル情報送信部３８へ送付する。
【０１２５】
ファイル情報送信部３８は、送信開始通知送信部３９からの送信要求及びファイル情報確認部３７からの課金改定ファイル情報を情報伝達部Ｃ３を介して、振り分け機能部Ｄ２，Ｆへ送信する。
【０１２６】
また、課金情報管理システムＧは、制御命令送信部４０を介して遠隔制御装置Ｊに対して各交換機Ａ１′に対する制御命令等を送信し、応答メッセージ受信部４１に当該遠隔制御装置Ｊから各交換機Ａ１′の作業の応答メッセージを受信する。
【０１２７】
（遠隔制御装置Ｊの構成例）
次に遠隔制御装置Ｊの構成について図面につき説明する。
図８は、本システム例における遠隔制御装置Ｊの好適な構成の一例を示すブロックダイアグラムである。図中、４２はシステム制御部、４３はシステム情報記憶部、４４は受信部、４５は命令配信部、４６は応答メッセージ受信部、４７は応答メッセージ配信部、４８は解析部である。
【０１２８】
遠隔制御装置Ｊは、内部の制御を行うシステム制御部４２と、当該システム制御部４２の制御に必要な情報を記憶するシステム情報記憶部４３とを、具備する。
【０１２９】
受信部４４は、課金情報管理システムＧからの制御情報を受信し、解析部４８に送付する。
【０１３０】
解析部４８は、当該受信部４４に受信された命令を、どの交換局Ａ′内に設置された交換機Ａ１′に対する命令かを解析する。
【０１３１】
命令配信部４５は、解析部４８の解析結果を受けて、交換機Ａ１′を保守する保守装置Ａ２′に向けて、命令を配信する。
【０１３２】
なお、命令配信部４５による配信は、全部の交換局Ａ′に向けた命令配信、特定の交換局Ａ′に向けた命令配信、特定の交換局Ａ′の特定の交換機Ａ１′に向けた命令配信の区別があり、また、複数の交換局Ａ′或いは複数の交換機Ａ１′に向けた命令配信においては、同報配信と個別配信の区別がある。
【０１３３】
そして、命令配信部４５から送付された命令により各交換機Ａ１′が特定の制御動作を起こすが、当該動作は命令配信部４５からの動作に応答したということで応答メッセージとして、遠隔制御装置Ｊに対して送付される。
【０１３４】
当該応答メッセージは遠隔制御装置Ｊの応答メッセージ受信部４６で受信され、解析部４８に送付される。
【０１３５】
解析部４８において、当該応答メッセージがどの交換機Ａ１′から来たものか、どの課金情報管理システムＧの命令に対する応答なのか、ということが解析され、応答メッセージ配信部４７から当該課金情報管理システムＧにあてて配信される。
【０１３６】
［方法例］
以下に、図面に基づき、本発明の方法例を説明する。
本方法例においては、交換機Ａ１′で生成される呼情報の処理、同じく交換機Ａ１′で生成される改定対象ファイル情報の処理、課金情報管理システムＧで生成される課金改定ファイル情報の処理の３つの処理が存在するので、それぞれについて説明する。
【０１３７】
（呼情報処理方法例）
まず、呼情報の処理について説明する。
いま、通信網α′内の任意の加入者１が他の任意の加入者１との通信を行うと、発信側である加入者１を収容する交換機Ａ１′を内蔵する交換局Ａ′の呼情報発信部３２で元呼情報の編集が行われ、呼情報として情報伝達部Ｃ１に出力される。
【０１３８】
当該情報伝達部Ｃ１に出力された呼情報は、当該交換局Ａ′を管轄する交換機アダプタ部Ｄ１，Ｅ１〜Ｅｎの受信部５で受信される。
【０１３９】
交換機アダプタ部Ｄ１，Ｅ１〜Ｅｎの受信部５で受信された呼情報は、蓄積部６で蓄積され、ファイル化される。
【０１４０】
当該ファイル化された呼情報は、振り分け機能部Ｄ２，Ｆに直接又は情報伝達部Ｃ２，Ｃ２′を介して送出される。この処理が管轄する交換局Ａ′全てについて繰り返される。
【０１４１】
振り分け機能部Ｄ２，Ｆにおいては、呼情報の分類・振り分けと蓄積が行われる。まず、収集振り分け部１５の収集部１５ａにより管轄するアダプタ部Ｄ１，Ｅ１〜Ｅｎの送信部６から呼情報を受信する。
【０１４２】
次に、収集振り分け部１５の分類部１５ｂにより、情報分類参照用テーブル記憶部１２ｃに記憶されている所定の分類項目にもとづいて呼情報がファイル単位で比較・分類されてから、分配部１５ｄから送出され、蓄積部１６のファイルｄａ１〜ｄａｎにファイル単位で書き込まれる。
【０１４３】
次に、振り分け機能部Ｄ２，Ｆでは、各オペレーションシステムＨ１〜Ｈｎの要求に応じて、蓄積部１６に蓄積された呼情報を送信する。すなわち、配信部１７では、各オペレーションシステムＨ１〜Ｈｎからの要求信号を受信すると、要求信号により指示された項目のファイルｄａ１〜ｄａｎの読出しを行う。
【０１４４】
読み出されたファイル化された呼情報は、配信部１７により要求のあったオペレーションシステムＨ１〜Ｈｎにファイル単位で順に送出を行う。
【０１４５】
オペレーションシステムＨ１〜Ｈｎでは、このようにして、各振り分け機能部Ｄ２，Ｆから収集したファイル化された呼情報を利用して、課金等の各種のオペレーションを実行する。
【０１４６】
（改定対象ファイル情報処理方法例）
次に、改定対象ファイル情報の処理方法について図面につき説明する。
ここでいう「改定対象ファイル情報」とは、各交換局の交換機Ａ１′において使用されているプログラムやデータの内、時々に応じて改定が必要となったためにファイル形態として本発明のシステムを通じて課金情報管理システムＧに送付されるファイル情報のことである、
【０１４７】
まず、課金情報管理システムＧから遠隔制御装置Ｊを介して改定の対象となるデータ又はプログラムを保有する交換機Ａ１′を保守する保守装置Ａ２′に対して、「交換機Ａ１′に存在する改定対象のプログラムやデータ（以下、データ等」とする）をファイル形態として課金情報管理システムＧに送付せよ。」という命令を出す。
【０１４８】
当該命令を受信した保守装置Ａ２′では、課金計算処理部３１に現在使用しているデータ等を見に行き、使用しているデータ等の蓄積部が２９ａであることを確認の後、当該蓄積部２９ａのデータを管轄する交換機アダプタ部Ｄ１，Ｅ１〜Ｅｎに改定対象ファイル情報として送信するよう送信部３０に対して指示を出す。
【０１４９】
同時に、保守装置Ａ２′では、遠隔制御装置Ｊに対して、「データ等のファイル化を完了し、交換機アダプタ部Ｄ１，Ｅ１〜Ｅｎにファイルを送付した」旨の応答メッセージを送付する。
【０１５０】
当該情報伝達部Ｃ１に出力された改定対象ファイル情報は、当該交換機Ａ１′を管轄する交換機アダプタ部Ｄ１，Ｅ１〜Ｅｎの受信部５で受信される。
【０１５１】
交換機アダプタ部Ｄ１，Ｅ１〜Ｅｎの受信部５で受信された改定対象ファイル情報は、蓄積部６で蓄積される。
【０１５２】
当該ファイル化された改定対象ファイル情報は、振り分け機能部Ｄ２，Ｆに直接又は情報伝達部Ｃ２，Ｃ２′を介して送出される。この処理が管轄する交換機Ａ１′全てについて繰り返される。
【０１５３】
振り分け機能部Ｄ２，Ｆにおいては、改定対象ファイル情報の分類・振り分けと蓄積が行われる。まず、収集振り分け部１５の収集部１５ａにより管轄するアダプタ部Ｄ１，Ｅ１〜Ｅｎの送信部６から改定対象ファイル情報を受信する。
【０１５４】
次に、収集振り分け部１５の分類部１５ｂにより、情報分類参照用テーブル記憶部１２ｃに記憶されている所定の分類項目にもとづいて改定対象ファイル情報がファイル単位で分類されてから、分配部１５ｄから送出され、蓄積部１６のファイルｄｘにファイル単位で書き込まれる。
【０１５５】
次に、振り分け機能部Ｄ２，Ｆでは、課金情報管理システムＧの要求に応じて、蓄積部１６に蓄積された改定対象ファイル情報を送信する。すなわち、ファイル送信・参照部１９では、課金情報管理システムＧからの要求信号を受信すると、要求信号により指示された項目のファイルｄｘの読出しを行う。
【０１５６】
読み出されたファイル化された改定対象ファイル情報は、配信部１７により要求のあった課金情報管理システムＧにファイル単位で順に送出を行う。
【０１５７】
課金情報管理システムＧでは、このようにして、各振り分け機能部Ｄ２，Ｆから収集したファイル化された改定対象ファイル情報を利用して、課金等の各種のデータ等の改定を実行する。
【０１５８】
（課金改定ファイル情報処理方法例）
次に、課金情報管理システムＧで前記改定対象ファイル情報を参照して改定された後の課金改定ファイル情報の処理方法について図面につき説明する。
まず、振り分け機能部Ｄ２，Ｆでの処理を説明する。
【０１５９】
まず、課金情報管理システムＧから、各交換機Ａ１′に送出すべき課金改定ファイル情報が、情報伝達部Ｃ３を通じて、振り分け機能部Ｄ２，Ｆのファイル受信部１８に送信される。ファイル受信部１８は、課金情報管理システムＧより各交換局Ａ′に送付すべき課金改定ファイル情報を受信すると、当該課金改定ファイル情報をファイルＤａに蓄積する。
【０１６０】
当該ファイルＤａに蓄積された課金改定ファイル情報は、ファイル情報配信部２１により管轄する各交換機アダプタ部Ｄ１，Ｅ１〜Ｅｎに配信される。
【０１６１】
ファイル情報配信部２１は、読出収容部２１ａによりファイルＤａに蓄積された課金改定ファイル情報を読出し、さらにアダプタ配信部２１ｂにより管轄する交換機アダプタ部Ｄ１，Ｅ１〜Ｅｎへ書き出して配信を行う。
【０１６２】
収集振り分け部１５では、ファイル情報配信部２１より各交換機アダプタ部Ｄ１，Ｅ１〜Ｅｎに配信した課金改定ファイル情報の交換機アダプタ部Ｄ１，Ｅ１〜Ｅｎと各交換局Ａ′内の各交換機での処理・登録結果の情報を収集部１５ａが受信し、情報分類参照用テーブル記憶部１５ｃのテーブルに基づき分類部１５ｂが分類し、蓄積部１６のファイルｄａ１〜ｄａｎに、交換機アダプタ部Ｄ１，Ｅ１〜Ｅｎと各交換局Ａ′とに対応つけられて蓄積される。
【０１６３】
また、収集振り分け部１５では、ファイル情報配信部２１より管轄する各交換機アダプタ部Ｄ１，Ｅ１〜Ｅｎに配信された課金改定ファイル情報の内容の返信を収集部１５ａが受信し、情報分類参照用テーブル記憶部１５ｃのテーブルに基づき分類部１５ｂが分類し、蓄積部１６のファイルＤｂに蓄積する。
【０１６４】
ファイル照合部１７は、ファイルＤａに蓄積された課金改定ファイル情報と、ファイルＤｂに蓄積された各交換機アダプタ部Ｄ１，Ｅ１〜Ｅｎからの返信されたデータ情報とを比較・照合し、当該比較・照合の結果をファイルＤｃに蓄積する。
【０１６５】
ファイル送信・参照部１６は、定期的に又は課金情報管理システムＧからの要求に基づき、ファイルｄｘ及びファイルＤｃの内容を読み出して、課金情報管理システムＧに送信する。
【０１６６】
また、ファイル照合部２０によるファイルＤｃの照合内容は、逐一、該当する管轄下の交換機アダプタ部Ｄ１，Ｅ１〜Ｅｎに返送される。
【０１６７】
振り分け機能部Ｄ２，Ｆのファイルｄｘには、当該振り分け機能部Ｄ２，Ｆが管轄する各交換機アダプタ部Ｄ１，Ｅ１〜Ｅｎの情報、さらに当該各交換機アダプタ部Ｄ１，Ｅ１〜Ｅｎが管轄する各交換局Ａ′とが、定期通知イベントファイルとして、関連づけられて蓄積されている。
【０１６８】
ファイル情報配信部２１では、蓄積部１６のファイルＤａに蓄積された課金改定ファイル情報を、管轄する各交換機アダプタ部Ｄ１，Ｅ１〜Ｅｎに逐次配信する。
【０１６９】
次に、交換機アダプタ部Ｄ１，Ｅ１〜Ｅｎでの課金改定ファイル情報の処理について説明する。
まず、振り分け機能部Ｄ２，Ｆから直接に或いは情報伝達部Ｃ２，Ｃ２′を介して送信されてきた課金改定ファイル情報は、受信部５で受信される。
【０１７０】
受信部５で受信された課金改定ファイル情報は、一旦蓄積部６に蓄積された後、順次取り出されて管轄する各交換局Ａ′に配信される。配信にあたっては、システム制御部４の指示に基づき、課金改定ファイル情報に含まれるファイル管理情報をファイル管理情報取出部８により取り出して、配信制御部９に送信する。
【０１７１】
配信制御部９では、ファイル管理情報に含まれる配信先交換局リストに基づき配信部７を制御し、情報伝達部Ｃ１のリンクを配信先交換局Ａ′に決定させる。なお、この配信先交換局リストでは、管轄する全交換機Ａ１′または一部の交換機Ａ１′を指定され、この場合には、同一の課金改定ファイル情報を同報通信的に配信することが可能である。
【０１７２】
次に、各交換局Ａ′内の各交換機Ａ１′での課金改定ファイル情報の処理について説明する。
まず、受信部２６は、交換機アダプタ部Ｄ１，Ｅ１〜Ｅｎから情報伝達部Ｃ１を介して送信されてくる課金改定ファイル情報を受信し、一時的に課金情報蓄積部２７へ蓄積する。
【０１７３】
課金情報蓄積部２７へ蓄積された課金改定ファイル情報は、一旦読み出されて、送信部３０へ送られ、交換機アダプタ部Ｄ１，Ｅ１〜Ｅｎへ返送される。
【０１７４】
交換機アダプタ部Ｄ１，Ｅ１〜Ｅｎは、それをさらに管轄する振り分け機能部Ｄ２，Ｆに送信し、当該振り分け機能部Ｄ２，Ｆ内のファイル照合部２０によるファイル照合を行った結果が返送され、当該照合結果が受信部２６へ再度送信される。
【０１７５】
照合結果がダメであれば、再度、課金改定ファイル情報が交換機アダプタ部Ｄ１，Ｅ１〜Ｅｎから送信されてくる。照合結果がＯＫであれば、受信部２６はその旨を料金改定切り替え制御管理部２８へ通知する。
【０１７６】
料金改定切り替え制御管理部２８では、照合結果がＯＫとなった課金改定ファイル情報内部の管理情報を課金情報蓄積部２７から読出し、料金改定切り替え制御管理部２８内部の管理表（図示せず）に登録する。
【０１７７】
そして、管理表に登録が完了した後、送信部３０経由で情報伝達部Ｃ１を介して交換機アダプタ部Ｄ１，Ｅ１〜Ｅｎへ、登録完了通知を送出する。
【０１７８】
料金改定切り替え制御管理部２８では、内部の管理表に登録された課金情報毎の切り替え時刻の一定時刻前になると、課金情報蓄積部２７から該当する課金改定ファイル情報を読出して非現用課金データ蓄積部２９ｂへコピーするよう制御する。
【０１７９】
この時点では、課金計算処理部３１では、現用課金データ蓄積部２９ａに蓄積されている課金データを使用して課金処理を行っている。
【０１８０】
さらに、料金改定切り替え制御管理部２８は、内部の管理表に登録された課金改定ファイル情報毎の切り替え時刻になると、課金計算処理部３１に対して課金データ切り替えの指示を送出すると同時に、現用課金データ蓄積部２９ａと非現用課金データ蓄積部２９ｂの課金情報蓄積部２７側のスイッチングを行う。
【０１８１】
課金計算処理部３１では、料金改定切り替え制御管理部２８からの課金データ切り替え指示を受領すると、課金データが蓄積されている部位を切り替え、現用課金データ蓄積部２４ｂの課金データを使用して課金処理を行う。
【０１８２】
ついで、各交換局Ａ′内において、全部の交換機Ａ１′又は指定された一部の交換機Ａ１′について、課金情報管理システムＧにより制御される遠隔制御装置Ｊにより、保守装置Ａ２′を通じて課金情報改定後の確認作業等が行われる。
【０１８３】
【発明の効果】
以上のように、本発明によれば、改定用のデータを回線により直接各交換機に配信できるので、料金データの改定作業の稼働並びに経費を大幅に削減でき、また料金データの改定が迅速に行える等、優れた経済性及び有用性を発揮する。
【０１８４】
また、交換機で発生する呼情報の配信システムと共用化することが可能であるので、大規模な課金改定ファイル情報を配信するために容量の多い専用の通信回線が不要であるから、経済性に優れている。
【０１８５】
さらに、交換機への料金データの改定等に、交換局におけるオペレータの操作を不要にでき、集中的に改定作業等を行うことが可能であるので、オペレータの育成などの作業を不要にし、省人性に優れている。
【０１８６】
そして、課金データを複数個受信して蓄積することが可能であり、各々独立に使用開始時間をあらかじめ指定しておくことが可能であるので、詳細な料金改定（例＝「○×株式会社ｘｘ周年記念通話料金割引サービス」と称して１日など一定期間だけの通話料金割引サービスを実施する）が可能である等、有用性を発揮する。
【０１８７】
そしてまた、オペレータの人手による操作が入るため、従来のシステムでは不可能であった、課金情報管理システムにおいて、全国の交換機への課金データの配送状況及び時刻切り替え状況の把握が可能である等、至便性を発揮する。
【図面の簡単な説明】
【図１】本発明のシステム実施例の構成を説明する説明図である。
【図２】本発明のシステム実施例における、交換機アダプタ部の好適な構成例を示すブロックダイアグラムである。
【図３】同上の、振り分け機能部の好適な構成例を説明するブロックダイアグラムである。
【図４】同上の、収集振り分け部の好適な構成例を示すブロックダイアグラムである。
【図５】同上の、情報配信部の好適な構成例を示すブロックダイアグラムである。
【図６】同上の、交換機の好適な構成例を説明するブロックダイアグラムである。
【図７】同上の、課金情報管理システムの好適な構成例を示すブロックダイアグラムである。
【図８】同上の、遠隔制御装置の好適な構成例を示すブロックダイアグラムである。
【図９】従来の、交換機の課金データの改定に伴い交換機の課金情報を書き換える方法の一例を説明するシステム構成の説明図である。
【符号の説明】
α，α′…通信網
Ａ…交換局
Ａ１，Ａ１′…交換機
Ａ２，Ａ２′…保守装置
Ａ３…ファイル受信装置
Ｂ…中央管理局
Ｃ１，Ｃ２，Ｃ２′，Ｃ３…情報伝達部
Ｄ…情報転送装置
Ｄ１，Ｅ１〜Ｅｎ…交換機アダプタ部
Ｄ２，Ｆ…振り分け機能部
Ｇ…課金情報管理システム
Ｇα…システム処理部
Ｇβ…通信制御部
Ｈ１〜Ｈｎ…オペレーションシステム
Ｊ…遠隔制御装置
１…各加入者
２…専用の通信線
３…システム制御部
４…システム情報記憶部
５…受信部
６…蓄積部
７…配信部
８…ファイル管理情報取出部
９…配信制御部
１０…配信要求送信部
１１…配信指示部
１２…配信要求受信部
１３…システム制御部
１４…システム情報記憶部
１５…収集振り分け部
１５ａ…収集部
１５ｂ…分類部
１５ｃ…情報分類参照用テーブル記憶部
１５ｄ…分配部
１６…蓄積部
１７…ファイル送信部
１８…受信部
１８ａ…読出収容部
１８ｂ…アダプタ配信部
１９…ファイル送信・参照部
２０…ファイル情報配信部
２１…配信要求送信部
２２…配信要求受信部
２３…配信指示部
２４…システム制御部
２５…システム情報記憶部
２６…受信部
２７…課金情報蓄積部
２８…料金改定切替制御管理部
２９ａ…現用課金データ蓄積部
２９ｂ…非現用課金データ蓄積部
３０…送信部
３１…課金計算処理部
３２…呼情報発信部
２３…交換部
３４…システム制御部
３５…システム情報記憶部
３６…ファイル情報受信部
３７…ファイル情報確認部
３８…ファイル情報送信部
３９…送信開始通知部
４０…制御命令送信部
４１…応答メッセージ受信部
４１…システム制御部
４２…システム情報記憶部
４３…受信部
４４…命令配信部
４５…応答メッセージ受信部
４６…応答メッセージ配信部
４７…解析部
【図１】
0003567999.tif 000002
【図２】
0003567999.tif 000003
【図３】
0003567999.tif 000004
【図４】
0003567999.tif 000005
【図５】
0003567999.tif 000006
【図６】
0003567999.tif 000007
【図７】
0003567999.tif 000008
【図８】
0003567999.tif 000009
【図９】
0003567999.tif 000010